(57)【要約】【課題】情報の検索のときにユーザが望む種類の情報を容易に得られるようにする。【解決手段】情報処理装置１は、絵文字Ｃ１をユーザの指の移動に応じて移動させる。情報処理装置１は、ユーザが絵文字Ｃ１をＷｅｂページ内の文字列に重ねて停止させると、停止時間に応じて検索処理の種類を変更する。情報処理装置１は、停止させている絵文字Ｃ１からユーザが指を離すと、ユーザが絵文字Ｃ１をＷｅｂページ内の文字列に重ねて停止させた時間に応じて検索処理の種類を决定し、検索エンジンの機能を備える外部装置に対して决定した種類の検索処理を行うように指示する。【選択図】図８
2014063438.tif 000002
【特許請求の範囲】
【請求項１】
コンテンツと、検索の機能を示す検索画像とを表示手段に表示させる第１表示制御手段と、
表示されている前記検索画像をユーザの操作に応じて移動させる移動手段と、
表示されている前記コンテンツにおいて前記検索画像に重なる位置にある情報について、検索処理の種類を决定して前記情報の検索を検索手段へ指示する指示手段と、
ユーザが前記検索画像に対して行った操作に応じて前記検索処理の種類を変更する変更手段と、
前記指示に応じて前記検索手段が行った検索の結果を取得する取得手段と、
前記取得手段で取得した結果が表示されるように前記表示手段を制御する第２表示制御手段と
を有する検索指示装置。
【請求項２】
前記変更手段は、前記検索画像を前記コンテンツ内の情報に重ねて予め定められた時間以上停止させる操作をユーザが行うと、前記検索画像が停止した時間に応じて検索処理の種類を変更する請求項１に記載の検索指示装置。
【請求項３】
前記変更手段は、前記表示手段において前記検索画像が表示されている位置に指示体を接触させる操作をユーザが行うと、検索処理の種類を変更する請求項１に記載の検索指示装置。
【請求項４】
前記第１表示制御手段は、前記検索処理の種類が変更されると、前記検索画像を変更後の検索処理の種類に対応した画像に変更する請求項１乃至請求項３のいずれか一項に記載の検索指示装置。
【請求項５】
コンテンツと、検索の機能を示す検索画像とを表示手段に表示させる第１表示制御ステップと、
表示されている前記検索画像をユーザの操作に応じて移動させる移動ステップと、
表示されている前記コンテンツにおいて前記検索画像に重なる位置にある情報について、検索処理の種類を指定して前記情報の検索を検索手段へ指示する指示ステップと、
ユーザが前記検索画像に対して行った操作に応じて前記検索処理の種類を変更する変更ステップと、
前記指示に応じて前記検索手段が行った検索の結果を取得する取得ステップと、
前記取得ステップで取得した結果が表示されるように前記表示手段を制御する第２表示制御ステップと
を有する検索指示方法。
【請求項６】
コンピュータに、
コンテンツと、検索の機能を示す検索画像とを表示手段に表示させる第１表示制御ステップと、
表示されている前記検索画像をユーザの操作に応じて移動させる移動ステップと、
表示されている前記コンテンツにおいて前記検索画像に重なる位置にある情報について、検索処理の種類を指定して前記情報の検索を検索手段へ指示する指示ステップと、
ユーザが前記検索画像に対して行った操作に応じて前記検索処理の種類を変更する変更ステップと、
前記指示に応じて前記検索手段が行った検索の結果を取得する取得ステップと、
前記取得ステップで取得した結果が表示されるように前記表示手段を制御する第２表示制御ステップと
を実行させるためのプログラム。
【発明の詳細な説明】
【技術分野】
【０００１】
本発明は、情報を検索する技術に関する。
【背景技術】
【０００２】
特許文献１には、画像の検索を行う装置が記載されている。この装置においては、表示されている画像に対して虫眼鏡状の仮想アイコンをドラッグして重ねると検索が行われ、仮想アイコンが重ねられた画像の情報の検索結果が表示される。この装置においては、仮想アイコンをドラッグするだけで情報の検索が行えるため、容易に検索を行うことが可能となっている。
【先行技術文献】
【特許文献】
【０００３】
【特許文献１】特開２０１１−４３８７５号公報
【発明の概要】
【発明が解決しようとする課題】
【０００４】
ところで、情報の検索を行う場合、情報の利用目的により、静止画や動画の情報ではなく、文章などの文字情報を得たい場合がある。また、文字情報ではなく、静止画や動画などの画像情報を得たい場合もある。しかしながら、特許文献１においては、文字情報の検索結果のみ、静止画の検索結果のみ、又は動画の検索結果のみというように、ユーザが望む種類の情報の検索を行うことができず、ユーザが望む種類の情報を検索結果として得ることができないていない。
【０００５】
本発明は、上述した背景の下になされたものであり、情報の検索のときにユーザが望む種類の情報を容易に得られるようにする技術を提供することを目的とする。
【課題を解決するための手段】
【０００６】
上述した課題を解決するため本発明は、コンテンツと、検索の機能を示す検索画像とを表示手段に表示させる第１表示制御手段と、表示されている前記検索画像をユーザの操作に応じて移動させる移動手段と、表示されている前記コンテンツにおいて前記検索画像に重なる位置にある情報について、検索処理の種類を决定して前記情報の検索を検索手段へ指示する指示手段と、ユーザが前記検索画像に対して行った操作に応じて前記検索処理の種類を変更する変更手段と、前記指示に応じて前記検索手段が行った検索の結果を取得する取得手段と、前記取得手段で取得した結果が表示されるように前記表示手段を制御する第２表示制御手段とを有する検索指示装置を提供する。
【０００７】
本発明においては、前記変更手段は、前記検索画像を前記コンテンツ内の情報に重ねて予め定められた時間以上停止させる操作をユーザが行うと、前記検索画像が停止した時間に応じて検索処理の種類を変更する構成としてもよい。
【０００８】
また、本発明においては、前記変更手段は、前記表示手段において前記検索画像が表示されている位置に指示体を接触させる操作をユーザが行うと、検索処理の種類を変更する構成としてもよい。
【０００９】
また、本発明においては、前記第１表示制御手段は、前記検索処理の種類が変更されると、前記検索画像を変更後の検索処理の種類に対応した画像に変更する構成としてもよい。
【００１０】
また、本発明は、コンテンツと、検索の機能を示す検索画像とを表示手段に表示させる第１表示制御ステップと、表示されている前記検索画像をユーザの操作に応じて移動させる移動ステップと、表示されている前記コンテンツにおいて前記検索画像に重なる位置にある情報について、検索処理の種類を指定して前記情報の検索を検索手段へ指示する指示ステップと、ユーザが前記検索画像に対して行った操作に応じて前記検索処理の種類を変更する変更ステップと、前記指示に応じて前記検索手段が行った検索の結果を取得する取得ステップと、前記取得ステップで取得した結果が表示されるように前記表示手段を制御する第２表示制御ステップとを有する検索指示方法を提供する。
【００１１】
また、本発明は、コンピュータに、コンテンツと、検索の機能を示す検索画像とを表示手段に表示させる第１表示制御ステップと、表示されている前記検索画像をユーザの操作に応じて移動させる移動ステップと、表示されている前記コンテンツにおいて前記検索画像に重なる位置にある情報について、検索処理の種類を指定して前記情報の検索を検索手段へ指示する指示ステップと、ユーザが前記検索画像に対して行った操作に応じて前記検索処理の種類を変更する変更ステップと、前記指示に応じて前記検索手段が行った検索の結果を取得する取得ステップと、前記取得ステップで取得した結果が表示されるように前記表示手段を制御する第２表示制御ステップとを実行させるためのプログラムを提供する。
【発明の効果】
【００１２】
本発明によれば、情報の検索のときにユーザが望む種類の情報を容易に得られるようになる。
【図面の簡単な説明】
【００１３】
【図１】情報処理装置１のハードウェア構成を示したブロック図。
【図２】情報処理装置１の機能構成を示したブロック図。
【図３】制御部１０２が行う処理の流れを示したフローチャート。
【図４】制御部１０２が行う処理の流れを示したフローチャート。
【図５】制御部１０２が行う処理の流れを示したフローチャート。
【図６】制御部１０２が行う処理の流れを示したフローチャート。
【図７】表示される画面の一例を示した図。
【図８】表示される画面の一例を示した図。
【図９】表示される画面の一例を示した図。
【図１０】表示される画面の一例を示した図。
【図１１】表示される画面の一例を示した図。
【図１２】表示される画面の一例を示した図。
【図１３】第２実施形態に係る制御部１０２が行う処理の流れを示したフローチャート。
【図１４】絵文字Ｃ１の変形例を示した図。
【発明を実施するための形態】
【００１４】
［第１実施形態］
（ハードウェアの構成）
図１は、本発明の一実施形態に係る情報処理装置１（検索指示装置）のハードウェア構成を示した図である。本実施形態の情報処理装置１は、板状の筐体にタッチスクリーンやハードウェアのボタンなどを備えた所謂タブレット端末と呼ばれるコンピュータ装置である。図１に示したように、情報処理装置１の各部はバス１０１により接続されている。
【００１５】
通信部１０５は、無線通信を行う通信インターフェースの機能を備えている。情報処理装置１は、通信部１０５を制御して無線ＬＡＮ（Local Area Network）や移動体通信網を介してインターネットなどに接続し、データ通信や音声通信を行う。
操作部１０４は、情報処理装置１を操作するための複数のハードウェアのボタンを備えている。また、操作部１０４は、画像を表示する表示手段の一例である表示部１０４２と、表示部１０４２の表面に設けられ、表示部１０４２が表示した画像を透過し、指が触れた位置を検出する位置検出部１０４１とが一体化したタッチスクリーン１０４Ａを備えている。表示部１０４２としては、液晶ディスプレイや有機ＥＬ（Electro Luminescence）ディスプレイなどが用いられるが、これらに限定されるものではなく他のディスプレイであってもよい。位置検出部１０４１は、ユーザにより操作される被操作手段の一例である。位置検出部１０４１は、静電容量方式のものであってマトリクス状に電極が配置されている。ユーザの指がタッチスクリーン１０４Ａに触れていると、位置検出部１０４１において指の触れた位置の座標を表す位置データが生成され、生成された位置データが位置検出部１０４１から制御部１０２へ供給される。ユーザの指が位置検出部１０４１に触れていないと位置データが生成されず、位置データが制御部１０２へ供給されなくなる。
【００１６】
記憶部１０３は、不揮発性メモリを備えている。記憶部１０３は、オペレーティングシステムを実現させるプログラムＯＳや、各種アプリケーションプログラムを記憶する。アプリケーションプログラムとしては、Ｗｅｂブラウザの機能を実現するプログラムＰ１や、検索エンジンの機能を備える外部装置（検索手段の一例。例えば、サーバ装置。）を利用した検索を行う機能を実現するプログラムＰ２などを記憶している。
【００１７】
制御部１０２は、ＣＰＵ（Central Processing Unit）１０２Ａ、ＲＯＭ（Read Only Memory）１０２Ｂ及びＲＡＭ（Random Access Memory）１０２Ｃ等を備えている。ＣＰＵ１０２Ａが、ＲＯＭ１０２Ｂに記憶されているＩＰＬ（Initial Program Loader）を実行すると、記憶部１０３に記憶されているプログラムＯＳが実行されてオペレーティングシステムが実現し、各種アプリケーションプログラムの実行が可能となる。
ユーザが、プログラムＰ１の実行を指示する操作を行うと、Ｗｅｂブラウザの機能が実現する。Ｗｅｂブラウザの機能が実現すると、通信部１０５を制御してインターネットに接続し、Ｗｅｂページを取得して表示することが可能となる。また、ユーザがプログラムＰ２の実行を指示する操作を行うと、検索エンジンを利用した検索を行う機能が実現する。
【００１８】
（機能ブロックの説明）
図２は、制御部１０２において実現する機能のうち本発明に係る特徴的な機能に関係する機能ブロックを示した図である。
第１表示制御部２０１は、Ｗｅｂブラウザの画像と、後述する絵文字Ｃ１の画像とが表示されるように表示部１０４２を制御するブロックである。
移動部２０２は、位置検出部１０４１でユーザが行った操作に応じて、絵文字Ｃ１を移動させるブロックである。
【００１９】
指示部２０３は、検索エンジンの機能を備える外部装置に対して情報の検索を指示するブロックである。指示部２０３は、表示部１０４２に表示されている画像と位置検出部１０４１でユーザが行った操作に基いて、検索するキーワードと、検索処理の種類を决定する。指示部２０３は、决定したキーワードと検索処理の種類とを検索のパラメータとして含み、検索を指示するメッセージを、通信部１０５を制御して外部装置へ送信する。
取得部２０４は、外部装置から送信された検索結果のデータを通信部１０５を介して取得する。取得部２０４は、取得したデータを第２表示制御部２０５へ送る。
第２表示制御部２０５は、取得部２０４から送られたデータが表す検索結果の画像が表示されるように表示部１０４２を制御するブロックである。
変更部２０６は、検索処理の種類を、位置検出部１０４１でユーザが行った操作に応じて変更するブロックである。
【００２０】
（第１実施形態の動作例）
次に本実施形態の動作の一例について、図３〜６のフローチャートと、図７〜図１２に示した画面例を用いて説明する。図７は、プログラムＰ１とプログラムＰ２を実行した制御部１０２（第１表示制御部２０１）が、Ｗｅｂページと絵文字Ｃ１を表示した状態の画面の一例を示した図である。図７に示されている領域Ａ１は、Ｗｅｂブラウザの表示領域であり、ＷｅｂページのＵＲＬ（Uniform Resource Locator）やコンテンツの一例であるＷｅｂページが表示される。Ｗｅｂページにおいては、文章などの文字情報や静止画や動画などの画像情報が含まれる。また、図７に示されている領域Ａ２は、プログラムＰ２の表示領域である。領域Ａ２には、検索の機能を示す検索画像の一例である絵文字Ｃ１が表示される。また、領域Ａ２には、検索のキーワードとなる文字列を表示するテキストボックスＴ１と、検索処理の種類を選択するラジオボタンＲ１〜Ｒ３が表示される。
【００２１】
ユーザが指で絵文字Ｃ１の位置に触れ、タッチスクリーン１０４Ａから離さずに指を移動させると、制御部１０２（移動部２０２）は、表示部１０４２を制御し、図８に示したように領域Ａ２に表示されている絵文字Ｃ１と同じ絵文字Ｃ１を指の移動に伴って移動させる。ユーザは、検索を行いたい情報が表示されている位置まで絵文字Ｃ１を移動させる。
制御部１０２は、移動した絵文字Ｃ１がＷｅｂページ内にある文字列に重なった場合、図３に示した処理を実行する。まず、制御部１０２は、絵文字Ｃ１が重なる位置にある文字列の形態素解析を行い、絵文字Ｃ１に重なる単語を特定する（ステップＳＡ１）。制御部１０２は、絵文字Ｃ１に重なる単語を特定すると、特定した単語がテキストボックスＴ１に表示されるように表示部１０４２を制御する（ステップＳＡ２）。
例えば、ユーザは、「ＤＶＤ＋ＲＷ」を検索したい場合、絵文字Ｃ１を「ＤＶＤ＋ＲＷ」の位置まで移動させる。図９に示したように、絵文字Ｃ１が「ＤＶＤ＋ＲＷ」に重なる位置まで移動すると、制御部１０２は、絵文字Ｃ１に重なる文字列として「ＤＶＤ＋ＲＷ」を特定し、「ＤＶＤ＋ＲＷ」がテキストボックスＴ１内に表示されるように表示部１０４２を制御する。
【００２２】
また、制御部１０２は、位置データに基いて位置検出部１０４１に触れている指が止まっているか判断し、位置検出部１０４１に触れている指が止まっている場合、図４に示した処理を実行する。具体的には、制御部１０２は、まず絵文字Ｃ１が文字列に重なっているか判断する。制御部１０２は、絵文字Ｃ１が文字列に重なっていない場合（ステップＳＢ１でＮＯ）、図４の処理を終了する。また、制御部１０２は、ステップＳＢ１でＹＥＳと判断した場合、絵文字Ｃ１を文字列に重ねて指を止めた状態から経過した時間（以下、経過時間と称する）を測定中であるか判断し、経過時間を測定中ではない場合（ステップＳＢ２でＮＯ）、経過時間の測定を開始する（ステップＳＢ３）。なお、制御部１０２は、ステップＳＢ２でＮＯと判断すると、図４の処理を終了する。
【００２３】
制御部１０２は、経過時間の測定を開始した後、指が止まったままである場合、即ち、絵文字Ｃ１の位置が変化せず予め定められた時間以上止まった状態である場合、図５の処理を実行し、測定した経過時間に応じてラジオボタンＲ１〜Ｒ３の選択の状態を変更する。具体的には、制御部１０２（変更部２０６）は、経過時間が２秒未満の場合（ステップＳＣ１でＹＥＳ）、ラジオボタンＲ１が選択されている状態となるように表示部１０４２を制御する（ステップＳＣ２）。また、制御部１０２は、経過時間が２秒以上４秒未満の場合（ステップＳＣ３でＹＥＳ）、ラジオボタンＲ２が選択されている状態となるように表示部１０４２を制御し（ステップＳＣ４）、経過時間が４秒以上の場合（ステップＳＣ３でＮＯ）、ラジオボタンＲ３が選択されている状態となるように表示部１０４２を制御する（ステップＳＣ５）。なお、経過時間について、２秒未満、２秒以上４秒未満、４秒以上というのは、あくまで一例であり、他の時間であってもよい。
【００２４】
また、制御部１０２は、指が位置検出部１０４１から離れた場合、図６の処理を実行する。具体的には、まず制御部１０２は、指が離れる前に絵文字Ｃ１が文字列に重なる位置にあったか判断する。制御部１０２は、指が離れる前に絵文字Ｃ１が文字列に重なっていない場合（ステップＳＤ１でＮＯ）、図６の処理を終了する。
【００２５】
一方、制御部１０２（指示部２０３）は、指が離れる前に絵文字Ｃ１が文字列に重なる位置にあった場合（ステップＳＤ１でＹＥＳ）、検索エンジンの機能を備える外部装置（例えば、インターネットに接続されたサーバ装置）に対して情報の検索を指示する（ステップＳＤ２）。具体的には、制御部１０２は、テキストボックスＴ１に表示されている文字列を検索のキーワードに决定する。また、制御部１０２は、検索処理の種類を决定する。例えば、制御部１０２は、ラジオボタンＲ１が選択された状態である場合、即ち、経過時間が２秒未満である場合、検索処理の種類をＷｅｂページにある文字列の検索処理に决定する。また、制御部１０２は、ラジオボタンＲ２が選択された状態である場合、即ち、経過時間が２秒以上４秒未満である場合、検索処理の種類を静止画の検索処理に决定し、ラジオボタンＲ３が選択された状態である場合、即ち、経過時間が４秒以上である場合、検索処理の種類を動画の検索処理に决定する。制御部１０２は、决定したキーワードと検索処理の種類とを検索のパラメータとして含み、検索を指示するメッセージを、通信部１０５を制御して外部装置へ送信する。
【００２６】
検索エンジンの機能を備える外部装置は、このメッセージを取得すると、取得したメッセージに含まれているパラメータに応じて情報の検索を行い、検索結果を示すＷｅｂページのデータを情報処理装置１へ送信する。この外部装置から送信されたデータは、通信部１０５で受信される。制御部１０２（取得部２０４、第２表示制御部２０５）は、通信部１０５が検索結果のＷｅｂページのデータを受信すると、受信したデータを取得し（ステップＳＤ３）、取得したデータが表すＷｅｂページ、即ち検索結果が表示されるように表示部１０４２を制御する（ステップＳＤ４）。
【００２７】
例えば、絵文字Ｃ１が文字列に重なり、且つ、ラジオボタンＲ１が選択された状態でユーザが指を位置検出部１０４１から離すと、図１０に示したように、特定した文字列を含むＷｅｂページへのハイパーリンクが記述されたＷｅｂページが表示される。また、ラジオボタンＲ２が選択された状態でユーザが指を位置検出部１０４１から離すと、図１１に示したように、特定した文字列に関連する静止画が配置されたＷｅｂページが表示される。また、ラジオボタンＲ３が選択された状態でユーザが指を位置検出部１０４１から離すと、図１２に示したように、特定した文字列に関連する動画へのハイパーリンクと、動画から抽出された１コマの画像とが配置されたＷｅｂページが表示される。
【００２８】
本実施形態によれば、絵文字Ｃ１を移動させるだけでユーザが所望する種類の情報の検索結果を容易に得ることができる。また、本実施形態によれば、絵文字Ｃ１を文字列に重ねて停止させた後、新たな操作を行わずに指を停止させているだけで、検索処理の種類を容易に指示することができる。
なお、上述した実施形態においては、経過時間が４秒以上となるとラジオボタンＲ３が選択された状態となるが、この構成に限定されるものではなく、予め定められた時間が経過する毎に、選択されているラジオボタンを変更するようにしてもよい。例えば、上述した実施形態においては、選択されているラジオボタンを切り替える経過時間を１秒とし、ラジオボタンＲ１→ラジオボタンＲ２→ラジオボタンＲ３→ラジオボタンＲ１→・・・、というように選択されているラジオボタンを繰り返し切り替えるようにしてもよい。
また、上述した実施形態においては、絵文字Ｃ１が文字列と重ならない状態となった場合、テキストボックスＴ１内の文字列を消去するようにしてもよい。
また、上述した実施形態においては、ステップＳＤ２において検索処理の種類を特定するときに、経過時間を用いずにラジオボタンの選択の状態から検索処理の種類を特定するようにしてもよい。
【００２９】
［第２実施形態］
次に本発明の第２実施形態において説明する。第２実施形態においては、第１実施形態と同じく情報処理装置１で情報の検索を行うが、検索処理の種類を决定する動作が第１実施形態と異なる。このため、第１実施形態と同じ構成については、その説明を省略し、以下第１実施形態との相違点について説明する。
【００３０】
（第２実施形態の動作例）
次に第２実施形態の動作例について説明する。情報処理装置１においてプログラムＰ１と本実施形態に係るプログラムＰ２を実行し、Ｗｅｂページを表示すると、図７に例示した画面が表示される。
【００３１】
ユーザが、領域Ａ２に表示されている絵文字Ｃ１の位置を叩く操作（予め定められた時間未満、指（指示体の一例）を位置検出部１０４１に接触させる操作）を行うと、制御部１０２は、図１３に示した処理を実行し、ラジオボタンＲ１〜Ｒ３の選択の状態を変更する。
例えば、ラジオボタンＲ１が選択されている状態で絵文字Ｃ１を指で叩く操作が行われると（ステップＳＥ１でＹＥＳ）、制御部１０２は、ラジオボタンＲ２が選択されている表示となるように表示部１０４２を制御する（ステップＳＥ２）。また、ラジオボタンＲ２が選択されている状態で絵文字Ｃ１を指で叩く操作が行われると（ステップＳＥ３でＹＥＳ）、制御部１０２は、ラジオボタンＲ３が選択されている表示となるように表示部１０４２を制御する（ステップＳＥ４）。また、ラジオボタンＲ３が選択されている状態で絵文字Ｃ１を指で叩く操作が行われると（ステップＳＥ１でＮＯ、ステップＳＥ３でＮＯ）、制御部１０２は、ラジオボタンＲ１が選択されている表示となるように表示部１０４２を制御する（ステップＳＥ５）。
【００３２】
また、ユーザが絵文字Ｃ１の位置に触れ、画像の表示面から離さずに指を移動させると、図８に示したように、領域Ａ２に表示されている絵文字Ｃ１と同じ絵文字Ｃ１が指の移動に伴って移動する。ユーザは、検索を行いたい情報が表示されている位置まで絵文字Ｃ１を移動させる。
【００３３】
制御部１０２は、移動した絵文字Ｃ１がＷｅｂページ内にある文字列に重なった場合、図３に示した処理を実行する。まず、制御部１０２は、絵文字Ｃ１が重なる位置にある文字列の形態素解析を行い、絵文字Ｃ１に重なる単語を特定する（ステップＳＡ１）。制御部１０２は、絵文字Ｃ１に重なる単語を特定すると、特定した単語がテキストボックスＴ１に表示されるように表示部１０４２を制御する（ステップＳＡ２）。
【００３４】
また、制御部１０２は、指が位置検出部１０４１から離れた場合、図６の処理を実行する。制御部１０２は、指が離れる前に絵文字Ｃ１が文字列に重なる位置にあった場合（ステップＳＤ１でＹＥＳ）、検索エンジンの機能を備える外部装置に対して情報の検索を指示する（ステップＳＤ２）。例えば、制御部１０２は、ラジオボタンＲ１が選択された状態である場合、検索処理の種類をＷｅｂページにある文字列の検索処理に决定する。また、制御部１０２は、ラジオボタンＲ２が選択された状態である場合、検索処理の種類を静止画の検索処理に决定し、ラジオボタンＲ３が選択された状態である場合、検索処理の種類を動画の検索処理に决定する。制御部１０２は、决定したキーワードと検索処理の種類とを検索のパラメータとして含み、検索を指示するメッセージを、通信部１０５を制御して外部装置へ送信する。
以下、外部装置から検索結果を取得して表示する動作は、第１実施形態と同じであるため、説明を省略する。
【００３５】
本実施形態においても、絵文字Ｃ１を移動させると、ユーザが所望する種類の情報の検索結果を容易に得ることができる。また、本実施形態によれば、絵文字Ｃ１を叩くという簡単な操作だけで、検索処理の種類を容易に指示することができる。
【００３６】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００３７】
上述した実施形態においては、情報処理装置１は、タブレット端末となっているが、タブレット端末に限定されるものではない。例えば、デスクトップ型のコンピュータ装置においても、ディスプレイ装置にタッチスクリーンを設け、上述した実施形態の構成を採用してもよい。また、タッチスクリーンを備えない構成にあっては、マウスの操作で絵文字Ｃ１をドラッグして絵文字Ｃ１を移動させるようにしてもよい。また、絵文字Ｃ１にマウスカーソルを重ねた状態でマウスをクリックする毎にラジオボタンの選択の状態を切り替えるようにしてもよい。また、フィーチャーフォンやスマートフォン、ＰＤＡ（Personal Digital Assistant）、プリンタ装置、ファクシミリ装置、ナビゲーション装置、ビデオカメラ、デジタルカメラ、電子辞書、電子ブックリーダーなど、タッチスクリーンを備える装置においても、上述した実施形態の構成を採用してもよい。
【００３８】
上述した実施形態においては、指による操作に応じて画像の検索が行われているが、操作を行うのに用いるのは指に限定されるものではなく、例えば、指示体の一例であるスタイラスペンで操作を行うようにしてもよい。
【００３９】
上述した第２実施形態においては、指で移動させた絵文字Ｃ１が領域Ａ１にあるときに、他の指で領域Ａ２の絵文字Ｃ１を叩く操作を行うと、ラジオボタンＲ１〜Ｒ３の選択状態を変更するようにしてもよい。
【００４０】
上述した実施形態においては、検索処理の種類をラジオボタンを用いてユーザに知らせているが、検索処理の種類を知らせる方法は、この方法に限定されるものではない。
例えば、第１実施形態において経過時間が２秒未満の場合には、検索処理の種類が文字列の検索処理であることを知らせるように、絵文字Ｃ１の画像を図１４の（ａ）に示したものとしてもよい。また、第１実施形態において経過時間が２秒以上４秒未満の場合には、検索処理の種類が静止画の検索処理であることを知らせるように、絵文字Ｃ１の画像を図１４の（ｂ）に示したものとし、第１実施形態において経過時間が４秒以上の場合には、検索処理の種類が動画の検索処理であることを知らせるように、絵文字Ｃ１の画像を図１４の（ｃ）に示したものとしてもよい。
また、第２実施形態においては、領域Ａ２の絵文字Ｃ１を叩く操作が行われる毎に絵文字Ｃ１の内容を変更し、図１４の（ａ）〜（ｃ）のいずれかの画像が表示されるようにしてもよい。
また、絵文字の内容で検索処理の種類を知らせる場合には、図１４に示した「text」、「images」、「videos」という文字列を絵文字が含む構成に替えて、絵文字の色で検索処理の種類を知らせるようにしてもよい。例えば、図１４の虫眼鏡の絵の背景を青色にした場合には文字列の検索処理を示し、図１４の虫眼鏡の絵の背景を黄色にした場合には静止画の検索処理を示し、図１４の虫眼鏡の絵の背景を赤色にした場合には動画の検索処理を示すようにしてもよい。なお、絵文字の色で検索処理の種類を知らせる場合、「text」、「images」、「videos」という文字列を削除してもよい。
【００４１】
上述した実施形態においては、検索を行う機能はプログラムＰ２を実行することにより実現しているが、プログラムＰ１を実行するとプログラムＰ２に係る機能が実現するようにしてもよい。また、上述した実施形態においては、プログラムＰ２に係る機能をアプリケーションプログラムではなく、オペレーティングシステムが備えるようにしてもよい。
【００４２】
上述した実施形態においては、絵文字Ｃ１を文字列に重ねて検索が行われているが、絵文字Ｃ１をＷｅｂページ内の画像に重ね、画像に関係する情報を検索するようにしてもよい。
【００４３】
上述した実施形態においては、絵文字Ｃ１が検索の機能を示す画像となっているが、検索の機能を示す画像の内容は、図面に示したものに限定されるものではない。例えば、「検索」や「ｓｅａｒｃｈ」というように文字列の画像を検索の機能を示す画像とし、この画像を指の移動に応じて移動させて検索を行うようにしてもよい。
【００４４】
上述した実施形態においては、Ｗｅｂページに対して絵文字Ｃ１を重ねて検索が行われているが、絵文字Ｃ１を重ねるのはＷｅｂページに限定されるものではない。例えば、ワードプロセッサーにより表示されている文章（コンテンツの一例）に絵文字Ｃ１を重ね、絵文字Ｃ１が重なった単語について検索を行うようにしてもよい。
【００４５】
上述した実施形態においては、検索処理の種類として、文字列の検索処理、静止画の検索処理及び動画の検索処理があり、これらをユーザが切り替えて検索を行なっているが、検索処理の種類は、これらに限定されるものではない。
例えば、ラジオボタンＲ１が選択状態となった場合には日本語の情報を検索する検索エンジンを使用し、ラジオボタンＲ２が選択状態となった場合には英語の情報を検索する検索エンジンを使用し、ラジオボタンＲ３が選択状態となった場合には独語の情報を検索する検索エンジンを使用するというように、検索する言語の種類を切り替えるようにしてもよい。
【００４６】
上述した実施形態においては、外部装置へ情報の検索を指示しているが、この構成に限定されるものではない。例えば、情報処理装置１に記憶されている文字情報や画像情報を検索するプログラムを実行して実現する検索機能（検索手段の一例）を情報処理装置１において実行し、当該プログラムに対して情報の検索を指示するようにしてもよい。
【００４７】
上述した実施形態の機能を実現するプログラムは、磁気記録媒体（磁気テープ、磁気ディスク（ＨＤＤ（Hard Disk Drive）、ＦＤ（Flexible Disk）））など、光記録媒体（光ディスクなど）、光磁気記録媒体、半導体メモリなどのコンピュータ読取り可能な記録媒体に記憶した状態で提供し、情報処理装置１にインストールしてもよい。また、通信回線を介して情報処理装置１にダウンロードしてインストールしてもよい。
【符号の説明】
【００４８】
１…情報処理装置、１０１…バス、１０２…制御部、１０２Ａ…ＣＰＵ、１０２Ｂ…ＲＯＭ、１０２Ｃ…ＲＡＭ、１０３…記憶部、１０４…操作部、１０４Ａ…タッチスクリーン、１０５…通信部、２０１…第１表示制御部、２０２…移動部、２０３…指示部、２０４…取得部、２０５…第２表示制御部、２０６…変更部、１０４１…位置検出部、１０４２…表示部。
【図１】
2014063438.tif 000003
【図２】
2014063438.tif 000004
【図３】
2014063438.tif 000005
【図４】
2014063438.tif 000006
【図５】
2014063438.tif 000007
【図６】
2014063438.tif 000008
【図７】
2014063438.tif 000009
【図８】
2014063438.tif 000010
【図９】
2014063438.tif 000011
【図１０】
2014063438.tif 000012
【図１１】
2014063438.tif 000013
【図１２】
2014063438.tif 000014
【図１３】
2014063438.tif 000015
【図１４】
2014063438.tif 000016